(57)【要約】【課題】読取手段と白基準部材の隙間が汎用品の場合の０〜０．１ｍｍに比べて大きくても、原稿の色度を正しく再現することができるカラー読み取り装置を提供する。【解決手段】カラー原稿の読み取り作業において、ユーザーが選んだカラー原稿の画像情報をＣＩＳ２により読み取り、読み取ったＲ・Ｇ・Ｂ信号を色度変換器７によりＬ・ａ・ｂ値に変換し、得られたＬ・ａ・ｂ値をＲＡＭ８に格納する。そして、ＲＡＭ８に格納してあるＬ・ａ・ｂ値とＲＯＭ１０に格納してあるＬ・ａ・ｂ値を照合部１６において照合し、色度特定部１５により色度特定をする。そして、色度特定したＲ・Ｇ・Ｂ光源を得て、ユーザー原稿の色バランス制御を行う。【選択図】　　　図１
2004120656.tif 000002
【特許請求の範囲】
【請求項１】
カラー原稿のカラー画像情報を読み取る読取手段を備えたカラー読み取り装置において、
前記読取手段によって読み取ったＲ・Ｇ・Ｂの画像信号からＬ・ａ・ｂ値に色度変換した色度値を記憶する第１の記憶手段と、色の基準とするＬ・ａ・ｂ値を色度パターンテーブルとして記憶する第２の記憶手段と、前記色度パターンテーブルの色度値若しくはデータ補正後の前記色度パターンテーブルの色度値を記憶する第３の記憶手段と、前記第２の記憶手段又は前記第３の記憶手段の色度値と前記第１の記憶手段の色度値とを照合して色度特定する色度特定手段とを備えたことを特徴とするカラー読み取り装置。
【請求項２】
カラー原稿のカラー画像情報を読み取る読取手段を備えたカラー読み取り装置において、
前記読取手段によって読み取ったＲ・Ｇ・Ｂの画像信号からＬ・ａ・ｂ値に色度変換した色度値を保存する第１の記憶手段と、色の基準とするＬ・ａ・ｂ値を色度パターンテーブルとして記憶する第２の記憶手段と、前記色度パターンテーブルの色度値若しくはデータ補正後の前記色度パターンテーブルの色度値を記憶する第３の記憶手段と、前記第２の記憶手段又は前記第３の記憶手段の色度値と前記第１の記憶手段の色度値とを照合して色度特定する色度特定手段と、基準色となるＲ・Ｇ・Ｂ・Ｃ・Ｍ・Ｙのカラー画像が描かれたカラー標準原稿に対して測色計で測定したＬ・ａ・ｂ値を手動で入力する機能を有する操作部と、を備え、
前記測色計で測定し、前記操作部から入力した前記カラー標準原稿のＬ・ａ・ｂ値と前記カラー標準原稿を前記読取手段から読み取ったＬ・ａ・ｂ値とによって色度特定した色度パターンテーブルを前記第３の記憶手段に記憶するようにしたことを特徴とするカラー読み取り装置。
【請求項３】
読み取ったＲ・Ｇ・Ｂの信号をＬ・ａ・ｂ値に色度変換する動作において、Ｒ・Ｇ・Ｂのそれぞれの信号をＲ・Ｇ・Ｂ・Ｃ・Ｍ・Ｙの６色の信号に変換し、６色の信号に変換した個々の信号をＬ・ａ・ｂ値に変換するようにしたことを特徴とする請求項１又は２に記載のカラー読み取り装置。
【発明の詳細な説明】
【０００１】
【発明の属する技術分野】
本発明は、ファクシミリ装置、スキャナー、複写機などのカラー読み取り装置に係り、特に、密着イメージセンサを備えたカラー読み取り装置に関する。
【０００２】
【従来の技術】
従来より、カラー原稿のカラー画像情報を読み取るためのＣＩＳ（Ｃｏｎｔａｃｔ　Ｉｍａｇｅ　Ｓｅｎｓｏｒ：密着イメージセンサ）を備えたファクシミリ装置やスキャナー等のカラー読み取り装置が知られている。この読取手段としてのＣＩＳはその照明深度が０〜０．１ｍｍ程度と小さいため、カラー原稿の読み取り時にはカラー原稿をＣＩＳの読取り面に密着させる必要がある。原稿を読取り面に密着させる技術としては、例えば、特開平５−２７６３７５号公報、特許第３０２９６５６号公報、特許第３０８０４３４号公報、特開平５−２２５９５号公報の装置が提案されている。これらの装置では、ＣＩＳの白基準となる白ローラとＣＩＳの間に原稿を通し、白ローラによって原稿を密着させている。
ところが、原稿を密着させると原稿上の描画材、消しゴム、修正液のカスや紙粉などの異物が読取り面に付着し、異常画像（白／黒スジ）の発生原因となる。また、ＣＩＳと白ローラの間の隙間は広くないので、厚めの紙を使用した場合には、隙間を通過することができずに、動作が停止するという問題が生じる。読取り面への異物の付着については、特開平１０−４２０９８号公報、特開平１１−２８９４２４号公報、特開平９−５５８２８号公報で提案されている技術のように異物を清掃する部材を設けたものがある。しかし、この場合には装置が大掛かりになり、コストアップを招いてしまう。また、たとえ、この技術を用いたとしても、厚紙搬送時の問題を解決することはできない。そのため、白ローラとＣＩＳの隙間を例えば、０．３〜０．５ｍｍと比較的広めに設定することで異物の付着や厚紙搬送時の問題に対応することが考えられている。
また、カラー画像を読み取る技術では、特開平７−１４３３４０号公報、特開平８−１６８０１２号公報、特開平８−７９５５１号公報のように、カラー原稿と出力側の画像で色合いが異なる場合に対応して色を補正するようにしたものも考えられている。さらに、特開平８−４６７９０号公報のように、カラーバランスの明／暗出力レベルの調整を自動的に実行させるためにγ補正回路を設け、各画像にオフセットを与えて画像データを変換するようにした技術も提案されている。
【特許文献１】特開平５−２７６３７５号公報
【特許文献２】特許第３０２９６５６号公報
【特許文献３】特許第３０８０４３４号公報
【特許文献４】特開平５−２２５９５号公報
【特許文献５】特開平１０−４２０９８号公報
【特許文献６】特開平１１−２８９４２４号公報
【特許文献７】特開平９−５５８２８号公報
【特許文献８】特開平７−１４３３４０号公報
【特許文献９】特開平８−１６８０１２号公報
【特許文献１０】特開平８−７９５５１号公報
【特許文献１１】特開平８−４６７９０号公報
【０００３】
【発明が解決しようとする課題】
ところが、白ローラとＣＩＳの隙間を広く設定すると、照明深度が０〜０．１ｍｍ程度の汎用のＣＩＳでは、Ｒ・Ｇ・Ｂそれぞれの光源出力の変化量が異なったものとなり、相似性を失うことから画像信号のバランス制御ができなくなり、原稿の色度を正しく再現することができなくなるという問題が生じる。
また、特許文献８では、カラーイメージスキャナをディスプレイ表面に密着させて読み取ることでカラー補正を行っているので、隙間が広い状態では適切な補正ができなくなる。また、特許文献９では、カラースキャナ部で読み取ったデータをＹ・Ｍ・Ｃデータに変換し、マスキング処理データテーブルを修正しているが、カラースキャナ部と原稿の隙間が大きい場合には、読み取ったデータ自体に色の再現性が十分に反映されてないという問題が生じる。また、特許文献１０では、読み取った画像データを予め記憶している画像データに近づけるための補正値を算出し、その補正値を用いて補正した画像データに対して符号化処理を行っているが、特許文献９の場合と同様に色の再現性の問題が生じる。
また、特許文献１１では、汎用のＣＩＳの照明深度範囲は読取り面より０〜０．１ｍｍ程度であることから、隙間を広くすると画像信号の出力値変化量に相似性を失い、予め設定したγ値補正では補正しきれなくなり、原稿の地肌読みや、濃度の薄い部分が白飛びする不具合が発生してしまう。
そこで、本発明は、上述の問題点を解決するためになされたもので、第１の目的として、読取手段と白基準部材の隙間が比較的大きくても、原稿の色度を正しく再現することができ、第２の目的として、照明深度のバラツキによる画像劣化を防止することができるカラー読み取り装置を提供することを目的とする。
【０００４】
【課題を解決するための手段】
上述の問題点を解決するために、請求項１記載の発明では、カラー原稿のカラー画像情報を読み取る読取手段を備えたカラー読み取り装置において、前記読取手段によって読み取ったＲ・Ｇ・Ｂの画像信号からＬ・ａ・ｂ値に色度変換した色度値を記憶する第１の記憶手段と、色の基準とするＬ・ａ・ｂ値を色度パターンテーブルとして記憶する第２の記憶手段と、前記色度パターンテーブルの色度値若しくはデータ補正後の前記色度パターンテーブルの色度値を記憶する第３の記憶手段と、前記第２の記憶手段又は前記第３の記憶手段の色度値と前記第１の記憶手段の色度値とを照合して色度特定する色度特定手段とを備えたカラー読み取り装置を最も主要な特徴とする。
請求項２記載の発明では、カラー原稿のカラー画像情報を読み取る読取手段を備えたカラー読み取り装置において、前記読取手段によって読み取ったＲ・Ｇ・Ｂの画像信号からＬ・ａ・ｂ値に色度変換した色度値を保存する第１の記憶手段と、色の基準とするＬ・ａ・ｂ値を色度パターンテーブルとして記憶する第２の記憶手段と、前記色度パターンテーブルの色度値若しくはデータ補正後の前記色度パターンテーブルの色度値を記憶する第３の記憶手段と、前記第２の記憶手段又は前記第３の記憶手段の色度値と前記第１の記憶手段の色度値とを照合して色度特定する色度特定手段と、基準色となるＲ・Ｇ・Ｂ・Ｃ・Ｍ・Ｙのカラー画像が描かれたカラー標準原稿に対して測色計で測定したＬ・ａ・ｂ値を手動で入力する機能を有する操作部とを備え、前記測色計で測定し、前記操作部から入力した前記カラー標準原稿のＬ・ａ・ｂ値と前記カラー標準原稿を前記読取手段から読み取ったＬ・ａ・ｂ値とによって色度特定した色度パターンテーブルを前記第３の記憶手段に記憶するようにしたカラー読み取り装置を主要な特徴とする。
請求項３記載の発明では、読み取ったＲ・Ｇ・Ｂの信号をＬ・ａ・ｂ値に色度変換する動作において、Ｒ・Ｇ・Ｂのそれぞれの信号をＲ・Ｇ・Ｂ・Ｃ・Ｍ・Ｙの６色の信号に変換し、６色の信号に変換した個々の信号をＬ・ａ・ｂ値に変換するようにしたカラー読み取り装置を主要な特徴とする。
【０００５】
【発明の実施の形態】
以下、図面により本発明の実施の形態を詳細に説明する。図１は第１の実施例であるカラー読み取り装置１００の概略を示すブロック図である。図１に示すように、カラー読み取り装置１００はカラー原稿１のカラー画像情報を読み取るための読取手段としてのＣＩＳ（Ｃｏｎｔａｃｔ　Ｉｍａｇｅ　Ｓｅｎｓｏｒ：密着センサ）２と、ＣＩＳ２から比較的広い隙間（この例では０．３〜０．５ｍｍ）となるようにＣＩＳ２の白基準となる白基準部材としての白基準板３と、原稿から読み取った信号をＲ・Ｇ・Ｂの信号として出力する制御部４と、制御部４からのＲ・Ｇ・Ｂのアナログ信号をデジタル化するＡ／Ｄ変換器５と、デジタル化されたＲ・Ｇ・Ｂ信号の平均値化処理によりシェーディング補正を行う平均値化処理器６と、平均値化されたＲ・Ｇ・Ｂ信号をＬ・ａ・ｂ値に変換する色度変換器７と、Ｌ・ａ・ｂ値に変換された色度値を記憶する第１の記憶手段としてのＲＡＭ８と、装置のシステムを制御するシステムコントロール回路９と、システムコントロール回路９内に配され、色の基準とするＬ・ａ・ｂ値を色度パターンテーブル（色補正の基準となる色のデータ）として記憶する第２の記憶手段としての色度パターンテーブル部１４と、色度パターンテーブルの色度値若しくはデータ補正後の色度パターンテーブルの色度値を記憶する第３の記憶手段としてのＲＯＭ１０と、色度パターンテーブル部１４又はＲＯＭ１０に記憶されている色度値とＲＡＭ８に記憶されている色度値とを照合する照合部１６と、照合部１６における結果に基づいて色度特定する手段としての色度特定部１５とを備えている。
このように構成されたカラー読み取り装置１００の各部の動作について簡単に説明すると、まず、カラー原稿１がセットされると、原稿検出センサ１１の検出信号に基づいて制御部４にて認識され、ＣＩＳ２のカラー光源２ａが点灯し、この光が白基準板３に反射してＣＩＳ２の受光部２ｂが受光し、シェーディングが行われる。白基準板３を用いてシェーディング補正を行った後、カラー原稿１はさらに移動する。そして、カラー原稿１にカラー光源２ａの光が反射して受光部２ｂが受光してカラー画像情報を検出し、制御部４、Ａ／Ｄ変換器５、平均値化処理器６、色度変換器７を経てＬ・ａ・ｂ値化されたデータがＲＡＭ８に格納される。一方、パターンテーブル部１４には色の基準とするために採用したカラー原稿（図示せず）を読み取ったときのＬ・ａ・ｂ値が予め色度パターンテーブルとして格納され、ＲＯＭ１０には、色度パターンテーブルの色度値若しくは補正後の色度パターンテーブルの色度値が格納されている。
なお、カラー読み取り装置１００では、図２の表に示すように、色度変換器７による色度変換において、読み取ったＲ・Ｇ・Ｂのそれぞれの信号をＲ・Ｇ・Ｂ・Ｃ・Ｍ・Ｙの６色の信号に変換し、６色の信号に変換した個々の信号をＬ・ａ・ｂ値に変換するようにしており、これによりカラー画像の出力用のデータを保有するようになっている。
【０００６】
ここで、カラー読み取り装置１００の動作フローについて図３のフロー図を用いて説明する。まず、ユーザーが色基準用に選択したカラー原稿のカラー画像情報をＣＩＳ２（図１）により読み取る（ステップＳ１）。そして、読み取ったＲ・Ｇ・Ｂ信号をステップＳ２でＬ・ａ・ｂ値に色度変換し、色度変換したＬ・ａ・ｂ値でパターンテーブルを作成し（ステップＳ３）、これをＲＯＭ１０（図１）に格納する（ステップＳ４）。
さて、任意のカラー原稿を読み取る作業においては、まず、ユーザーが選んだカラー原稿の画像情報の読み取りを行い（ステップＳ５）、読み取ったＲ・Ｇ・Ｂ信号をＬ・ａ・ｂ値に変換し（ステップＳ６）、得られたＬ・ａ・ｂ値をＲＡＭ８（図１）に格納する（ステップＳ７）。そして、ステップＳ８において、ステップＳ７で得たＬ・ａ・ｂ値とステップＳ４で得たＬ・ａ・ｂ値を照合部１６（図１）において照合し、ステップＳ９で色度特定部１５（図１）により色度特定をする。そして、ステップＳ１０で色度特定されたＲ・Ｇ・Ｂ光源を得て、ステップＳ１１でユーザー原稿の色バランス制御を行う。
したがって、カラー読み取り装置１００では、Ｌ・ａ・ｂ値によって色度特定しているので、ＣＩＳ２と白基準板３の隙間（０．３〜０．５ｍｍ）が汎用品の場合の０〜０．１ｍｍに比べて大きくても、原稿の色度を正しく再現することができる。また、カラー読み取り装置１００はＲ・Ｇ・Ｂの光学系画像データを利用した画像処理回路だけを所有しているのではなく、カラー画像の出力用のデータを保有しているので、カラー読み取り装置１００自体からカラー画像を出力することが可能になる。例えば、カラー読み取り装置１００をカラーファクシミリ装置やカラー複写機に応用すれば、カラー画像を出力することができる。
【０００７】
続いて、第２の実施例であるカラー読み取り装置２００について説明する。図４はカラー読み取り装置２００の概略を示すブロック図である。カラー読み取り装置２００は、カラー読み取り１００において、所定の条件で測定したＬ・ａ・ｂ値を装置本体の操作部から入力することで色度パターンテーブルを設定できるようにしたものである。もちろん、カラー画像の出力用データを保有する機能もカラー読み取り装置１００と同様に備えている。したがって、図４において、図１のカラー読み取り装置１００と同様の部分については同一の符号を付し、その詳細な説明は省略する。
図４において、操作部１２は複数の操作キーにより構成された操作手段であり、装置を操作する機能に加えてＬ・ａ・ｂの値を入力できるようになっている。カラー読み取り装置２００では、基準色となるＲ・Ｇ・Ｂ・Ｃ・Ｍ・Ｙのカラー画像が描かれたカラー標準原稿（図示せず）を測色計で測定したＬ・ａ・ｂ値とカラー標準原稿をＣＩＳ２によって読み取ったときのＬ・ａ・ｂ値とによって色度特定した色度パターンテーブルを用いている。色度特定した色度パターンテーブルは色度特定制御部１３によってＲＯＭ１０に格納される。なお、測色計によるカラー標準原稿の測定及び操作部１２によるＬ・ａ・ｂ値の入力とＣＩＳ２による読み取り作業は装置の生産工場にて組立後に行われる。
ここで、カラー読み取り装置２００の動作について、図５のフロー図及び図６の表を用いて説明する。まず、ステップＳ２１でカラー標準原稿のＬ・ａ・ｂ値を測色計により測定して図６（ａ）の表を満たすようなＬ・ａ・ｂ値を得る。そして、測定したＬ・ａ・ｂ値をステップＳ２２で操作部１２（図４）により入力し、これにより得られた色度パターンテーブルが色度パターンテーブル部１４（図４）に保持される（ステップＳ２３）。一方、ステップＳ２４でカラー標準原稿をＣＩＳ２（図４）により読み取り、ステップＳ２５において、読み取ったＲ・Ｇ・Ｂ信号をＬ・ａ・ｂ値に変換する（図６（ｂ）参照）。そして、ステップＳ２６にて、測定によって得たＬ・ａ・ｂ値とＣＩＳ２で読み取ったＬ・ａ・ｂ値を比較補正し、ステップＳ２７において、色度特定部１５（図４）により色度特定し、その結果をステップＳ２８において色度特定制御部１３（図４）によってＲＯＭ１０（図４）に格納する（図６（ｃ）参照）。なお、ここまでの工程は、上述したように、装置の生産工場にて組立後に行われる。
【０００８】
さて、ユーザーによる装置の使用では、まず、ユーザーが選んだカラー原稿の画像情報の読み取りを行い（ステップＳ２９）、読み取ったＲ・Ｇ・Ｂ信号をＬ・ａ・ｂ値に変換し（ステップＳ３０）、得られたＬ・ａ・ｂ値をＲＡＭ８（図４）に格納する（ステップＳ３１）。そして、ステップＳ３１で得たＬ・ａ・ｂ値とステップＳ２８で得たＬ・ａ・ｂ値を照合部１６（図４）において照合し（ステップＳ３２）、ステップＳ３３で色度特定部１５（図４）により色度特定をする。そして、ステップＳ３４で色度特定されたＲ・Ｇ・Ｂ光源を得て、ステップＳ３５でユーザー原稿の色バランス制御を行う。
したがって、カラー読み取り装置２００では、カラー標準原稿の測色計によるＬ・ａ・ｂ値とカラー標準原稿を実際にＣＩＳ２で読み取ったデータから得たＬ・ａ・ｂ値の双方にて色度特定した色度パターンテーブルを用いるので、汎用ＣＩＳの個々の照明深度バラツキを補正し、画像劣化を防止することができる。また、カラー読み取り装置２００はＲ・Ｇ・Ｂの光学系画像データを利用した画像処理回路だけを所有しているのではなく、カラー画像の出力用のデータを保有しているので、カラー読み取り装置２００自体からカラー画像を出力することが可能になる。例えば、カラー読み取り装置２００をカラーファクシミリ装置やカラー複写機に応用すれば、カラー画像を出力することができる。
【０００９】
【発明の効果】
以上説明したように、請求項１によれば、Ｌ・ａ・ｂ値によって色度特定しているので、読取手段と白基準部材の隙間が汎用品の場合の０〜０．１ｍｍに比べて大きくても、原稿の色度を正しく再現することができる。
請求項２によれば、カラー標準原稿の測色計によるＬ・ａ・ｂ値とカラー標準原稿を実際に読取手段で読み取ったデータから得たＬ・ａ・ｂ値の双方にて色度特定した色度パターンテーブルを用いるので、汎用品（汎用読取手段）の個々の照明深度バラツキを補正し、画像劣化を防止することができる。
請求項３によれば、Ｒ・Ｇ・Ｂの光学系画像データを利用した画像処理回路だけを所有しているのではなく、カラー画像の出力用のデータを保有しているので、カラー読み取り装置自体からカラー画像を出力することが可能である。例えば、カラー読み取り装置をカラーファクシミリ装置やカラー複写機に応用すれば、カラー画像を出力することができる。
【図面の簡単な説明】
【図１】カラー読み取り装置１００の概略を示すブロック図である。
【図２】カラー読み取り装置１００における色度変換処理の概要を示す図である。
【図３】カラー読み取り装置１００の動作を示すフローチャートである。
【図４】カラー読み取り装置２００の概略を示すブロック図である。
【図５】カラー読み取り装置２００の動作を示すフローチャートである。
【図６】カラー読み取り措置２００における色度変換処理の概要を示す図である。
【符号の説明】
１　カラー原稿、２　ＣＩＳ、２ａ　カラー光源、２ｂ　受光部、３　白基準板、４　制御部、５　Ａ／Ｄ変換器、６　平均値化処理器、７　色度変換器、８ＲＡＭ、９　システムコントロール回路、１０　ＲＯＭ、１１　原稿検出センサ、１２　操作部、１３　色度特定制御部、１４　色度パターンテーブル部、１５　色度特定部、１６　照合部
【図１】
2004120656.tif 000003
【図２】
2004120656.tif 000004
【図３】
2004120656.tif 000005
【図４】
2004120656.tif 000006
【図５】
2004120656.tif 000007
【図６】
2004120656.tif 000008